(57)【要約】【課題】玄米の外観検査を行うことができる穀物調製装置を得る。【解決手段】穀物調製装置１０では、籾摺部１８、風力選別部３４、粒径選別部５６、石抜選別部７６、切換部９２、精米部１０２、揚穀機１３２、砕米選別部１４６、色彩選別部１６２及び操作部１９４が１つの機枠１２に設置されると共に、機枠１２がカバー１４で覆われて一体化されている。ここで、切換ホッパ９４へ搬送された玄米Ｇが切換弁９６によって採取樋１９８側へ搬送される際には、所定量の玄米Ｇが採取樋１９８内を自然流下して機枠１２外へ試料として採取される。このため、採取樋１９８から機枠１２外へ採取された玄米Ｇによって、玄米Ｇの外観検査を行うことができ、米の等級判定を行うことができる。【選択図】    図１
2004148230.tif 000002
【特許請求の範囲】
【請求項１】
籾を摺って玄米にする籾摺部と、玄米を精米して白米にする精米部と、玄米または白米を精選する選別部と、を１つの機枠に設置すると共に、前記機枠をカバーで覆って一体化した穀物調製装置であって、
前記籾摺部から前記精米部へ玄米が搬送される玄米搬送経路から玄米を前記機枠外へ採取可能な玄米採取手段を設けた、
ことを特徴とする穀物調製装置。
【請求項２】
前記精米部の直前工程の前記選別部から前記精米部までの前記玄米搬送経路から前記玄米採取手段が玄米を前記機枠外へ採取する、ことを特徴とする請求項１記載の穀物調製装置。
【発明の詳細な説明】
【０００１】
【発明の属する技術分野】
本発明は、籾から精選された玄米または白米を生産する穀物調製装置に関する。
【０００２】
【従来の技術】
籾摺精米装置としては、籾摺装置、風選室及び精米装置を備えたものがある（例えば、特許文献１参照）。この籾摺精米装置では、籾摺装置で籾を摺って玄米にし、風選室で玄米から籾殻を除去し、精米装置で玄米を精米して白米を生産する。
【０００３】
ところで、一般に、生産された米が市場に出荷される際には、米に等級が付けられるようになっている。この米の等級判定（ランク付け）は、主に玄米の外観検査（整粒、屑粒、被害粒等の混入割合についての検査）により行われる。
【０００４】
ここで、上記籾摺精米装置において、玄米が籾摺装置から風選室を経て精米装置まで搬送される際に、玄米を装置外へ採取することができれば、米の等級判定を行うことができる。
【０００５】
【特許文献１】
特開平４−２３５７４９号公報
【０００６】
【発明が解決しようとする課題】
本発明は上記事実を考慮し、玄米の外観検査を行うことができる穀物調製装置を得ることが目的である。
【０００７】
【課題を解決するための手段】
請求項１に記載の穀物調製装置は、籾を摺って玄米にする籾摺部と、玄米を精米して白米にする精米部と、玄米または白米を精選する選別部と、を１つの機枠に設置すると共に、前記機枠をカバーで覆って一体化した穀物調製装置であって、前記籾摺部から前記精米部へ玄米が搬送される玄米搬送経路から玄米を前記機枠外へ採取可能な玄米採取手段を設けた、ことを特徴としている。
【０００８】
請求項１に記載の穀物調製装置では、籾摺部で籾を摺って玄米にし、精米部で玄米を精米して白米にし、選別部で玄米または白米を精選して、精選された玄米または白米を生産する。また、籾摺部、精米部及び選別部が１つの機枠に設置されると共に、機枠がカバーで覆われて一体化されている。
【０００９】
ここで、籾摺部から精米部へ玄米が搬送される玄米搬送経路から玄米を機枠外へ採取可能な玄米採取手段が設けられている。このため、玄米採取手段により機枠外へ採取された玄米によって、玄米の外観検査を行うことができ、米の等級判定を行うことができる。
【００１０】
請求項２に記載の穀物調製装置は、請求項１に記載の穀物調製装置において、前記精米部の直前工程の前記選別部から前記精米部までの前記玄米搬送経路から前記玄米採取手段が玄米を前記機枠外へ採取する、ことを特徴としている。
【００１１】
請求項２に記載の穀物調製装置では、精米部の直前工程の選別部から精米部までの玄米搬送経路から玄米採取手段が玄米を機枠外へ採取するため、玄米採取手段により機枠外へ採取された玄米は選別部により精選されたものである。これにより、玄米の外観検査を良好に行うことができて、米の等級判定を良好に行うことができる。
【００１２】
【発明の実施の形態】
［第１の実施の形態］
図１には、本発明の第１の実施の形態に係る穀物調製装置１０が展開された状態の模式図で示されており、図２には、穀物調製装置１０が斜視図にて示されている。
【００１３】
本実施の形態に係る穀物調製装置１０は機枠１２を備えており、機枠１２の底部には所定数（本実施の形態では４つ）のキャスタ（図示省略）が設けられると共に、機枠１２の全体（少なくとも上面及び全側面）はカバー１４によって覆われている。機枠１２内には、上下方向中央部分において仕切枠１６が架設されており、仕切枠１６によって機枠１２が上段と下段とに仕切られている。
【００１４】
機枠１２前面側の下段左部には、遠心脱ぷ式（衝撃式）の籾摺部１８が設けられている。籾摺部１８は、上面が開口する籾摺ホッパ２０を備えており、籾摺ホッパ２０には、穀物調製装置１０と併設された穀物乾燥機（図示省略）よって乾燥された籾Ｍが、傾斜された籾搬送樋２２を介して自然流下されて搬送される。また、籾摺ホッパ２０の上部には籾搬送樋２２の下端が挿入されており、このため、籾Ｍの詰まりや籾Ｍの過搬送等により籾摺ホッパ２０内に籾Ｍが略満杯になった際でも、籾摺ホッパ２０への籾Ｍの搬送が停止または抑制されて籾摺ホッパ２０から籾Ｍが溢れることが防止される。
【００１５】
籾摺ホッパ２０の下部には羽根車状の籾摺繰出弁２６が設けられると共に、籾摺ホッパ２０の下端は外周ケース２４の中心部に連結されており、籾摺ホッパ２０へ搬送された籾Ｍが、籾摺繰出弁２６の回転によって繰り出されて、外周ケース２４内の中心部に流入する。
【００１６】
外周ケース２４内には、複数の回転翼２８（一種のブロア）が放射状に設けられており、複数の回転翼２８は、高速で回転することで、外周ケース２４内の中心部に流入した籾Ｍに遠心力を付与して、この籾Ｍを放射状に放出する。外周ケース２４の内周にはライニング板３０が設けられており、前記放射状に放出された籾Ｍがライニング板３０に衝突しその際の衝撃力によって脱ぷ処理（所謂、籾摺り）される。また、以下このように脱ぷ処理された籾Ｍを摺出米Ｓという。この摺出米Ｓには、脱ぷされた多量の玄米Ｇの他、粃Ｔ（未熟粒であり、殻ばかりで実の殆どない籾）、籾殻Ｄ及び粉塵Ｃ等が混在している。なお、遠心脱ぷ式の籾摺部１８の脱ぷ率（約９８％）は、ロール式の籾摺部の脱ぷ率（約９０％）より良好であり、この籾摺部１８で脱ぷしきれない籾Ｍは極僅かである。
【００１７】
外周ケース２４の外周には、玄米搬送経路を構成する上方へ向かう案内筒３２が立設されており、複数の回転翼２８の回転により移動する摺出米Ｓが案内筒３２によって上方へ案内される。
【００１８】
機枠１２前面側の上段左部には、籾摺部１８の上方において、玄米搬送経路を構成する選別部としての唐箕式の風力選別部３４が設けられている。風力選別部３４は、風選室３６を備えており、風選室３６の上部には案内筒３２の上端部が連結されている。これにより、案内筒３２により案内された摺出米Ｓが風選室３６内の上部へ搬送される。
【００１９】
風選室３６内には、複数の隔壁３８によって風選路４０、４２、４４、４６が設けられており、風選路４０の上端開口は風選路４２の上端開口より上位に位置し、風選路４２の上端開口は風選路４４の上端開口より上位に位置し、風選路４４の上端開口は風選路４６の上端開口より上位に位置している。
【００２０】
風選路４０、４２の下部は、上記複数の回転翼２８と同軸上に併設された下方の籾殻排出ブロワ４８に連通しており、籾殻排出ブロワ４８は籾殻排出管５０を介して機枠１２外へ連絡されている。これにより、摺出米Ｓ中最も比重が小さい粉塵Ｃ及び粉塵Ｃの次に比重が小さい籾殻Ｄが籾殻排出ブロワ４８によってそれぞれ風選路４０、４２に吸い上げ流入され、籾殻排出ブロワ４８及び籾殻排出管５０を経て機枠１２外へ排出される。
【００２１】
風選路４４の下部は、パイプ（図示省略）を介して機枠１２外へ連絡されており、摺出米Ｓ中籾殻Ｄの次に比重が小さい粃Ｔが籾殻排出ブロワ４８によって風選路４４に吸い上げ流入され、パイプを経て機枠１２外へ排出される。
【００２２】
風選路４６の下部は、傾斜された風選搬送樋５４に連通しており、摺出米Ｓ中最も比重が大きい玄米Ｇが籾殻排出ブロワ４８によって吸い上げられずに風選路４６に流入されて、風選搬送樋５４内を自然流下して搬送される。
【００２３】
機枠１２前面側の上段右部には、風力選別部３４の側方において、玄米搬送経路を構成する選別部としての竪型回転式の粒径選別部５６が設けられている。粒径選別部５６の下部には、上面が開口する粒選ホッパ５８が設けられており、風選搬送樋５４内を搬送された玄米Ｇが自然流下して粒選ホッパ５８へ搬送される。また、粒選ホッパ５８の上部には風選搬送樋５４の下端が挿入されており、このため、玄米Ｇの詰まりや玄米Ｇの過搬送等により粒選ホッパ５８内に玄米Ｇが略満杯になった際でも、粒選ホッパ５８への玄米Ｇの搬送が停止または抑制されて粒選ホッパ５８から玄米Ｇが溢れることが防止される。
【００２４】
粒径選別部５６では、筒状の屑受筒６０が立設されており、屑受筒６０の上面は閉鎖されると共に、屑受筒６０内には円筒状の粒選筒６２が立設されている。粒選筒６２の下部は粒選ホッパ５８の下部に連通されており、粒選ホッパ５８へ搬送された玄米Ｇが粒選筒６２内の下部に搬送される。
【００２５】
粒選筒６２内には揚穀ロール６４が立設されており、揚穀ロール６４の上端以外の外周には螺旋状の揚穀螺旋６６が設けられている。このため、揚穀ロール６４が回転されることで、粒選筒６２内の下部に搬送された玄米Ｇが揚穀螺旋６６の回転によって遠心力を受けつつ粒選筒６２内を上昇する。
【００２６】
粒選筒６２の外周には多数の粒選孔６８が形成されると共に、粒選筒６２と屑受筒６０との間は屑米室７０とされている。これにより、上述の如く遠心力を受けつつ粒選筒６２内を上昇する玄米Ｇから屑米Ｋ（未熟粒）が多数の粒選孔６８を介して屑米室７０へ移動することで、玄米Ｇから粒の大きさにより屑米Ｋが除去される。
【００２７】
屑米室７０の下部は、パイプ（図示省略）を介して機枠１２外へ連絡されており、屑米室７０へ除去された屑米Ｋがパイプを経て機枠１２外へ排出される。
【００２８】
揚穀ロール６４の上端外周には、板状の搬出羽根７２が所定数設けられると共に、粒選筒６２の上端は、粒選搬送樋７４の基端に連通しており、粒選筒６２の上端まで搬送されて屑米Ｋが除去された玄米Ｇが、搬出羽根７２の回転による遠心力によって粒選搬送樋７４内を搬送される。
【００２９】
機枠１２背面側の上段右部には、粒径選別部５６の側方において、玄米搬送経路を構成する選別部としての噴風揺動式の石抜選別部７６が設けられている。石抜選別部７６は、筒状の石抜選別筒７８を備えており、石抜選別筒７８内には、傾斜された石抜選別板８０が設けられている。石抜選別板８０の上方には上記粒選搬送樋７４の先端が配置されており、粒選搬送樋７４内を搬送された玄米Ｇが石抜選別板８０上へ自然流下して搬送される。
【００３０】
石抜選別板８０の表面には、石抜選別板８０の傾斜上側面が起立し傾斜下側面が緩傾斜した略半三角錐状の多数の突起８２が形成されており、突起８２の傾斜上側面は開口して通風孔８４とされている。
【００３１】
石抜選別板８０の直下には、容器状の送風器８６が設けられており、送風器８６の上面は、開口して石抜選別板８０の突起８２形成部位における裏面を包囲している。送風器８６内の下部には複数の翼板８８が設けられており、複数の翼板８８が回転することで、石抜選別板８０の裏面側から通風孔８４を介して風が吹き上げられる。
【００３２】
ここで、石抜選別板８０が略傾斜方向へ揺動されると共に、石抜選別板８０上に通風孔８４を介して風が吹き上げられることで、石抜選別板８０上へ搬送された玄米Ｇ内に混入している比重の大きい小石Ｉは下層へ沈下し、比重の小さい玄米Ｇは上層へ浮上する。さらに、下層の小石Ｉは、石抜選別板８０の揺動に伴い突起８２に当接して傾斜上方へ次第に上昇し、石抜選別板８０の傾斜上端から落下する。一方、上層の玄米Ｇは、突起８２に当接せずに（または軽く当接しながら）傾斜下方に滑り降り、石抜選別板８０の傾斜下端から落下する。
【００３３】
石抜選別筒７８内の下部は、パイプ（図示省略）を介して機枠１２外へ連絡されており、石抜選別板８０の傾斜上端から落下した小石Ｉがパイプを経て機枠１２外へ排出される。
【００３４】
石抜選別筒７８の外周には、石抜選別板８０の傾斜下端に対応する位置に、傾斜した石抜搬送樋９０が設けられており、小石Ｉが除去されて石抜選別板８０の傾斜下端から落下する玄米Ｇが、石抜搬送樋９０に受け止められて石抜搬送樋９０内を自然流下して搬送される。
【００３５】
機枠１２の上段には、石抜選別部７６の玄米Ｇ排出側において、切換部９２が設けられている。切換部９２には、玄米搬送経路を構成する上面が開口した切換ホッパ９４が設けられており、切換ホッパ９４には石抜搬送樋９０内を搬送された玄米Ｇが搬送される。また、切換ホッパ９４の上部には石抜搬送樋９０の下端が挿入されており、このため、玄米Ｇの詰まりや玄米Ｇの過搬送等により切換ホッパ９４内に玄米Ｇが略満杯になった際でも、切換ホッパ９４への玄米Ｇの搬送が停止または抑制されて切換ホッパ９４から玄米Ｇが溢れることが防止される。
【００３６】
切換ホッパ９４の下端には、玄米搬送経路及び玄米採取手段を構成する切換弁９６が設けられており、切換弁９６には、それぞれ傾斜した、玄米搬送経路を構成する玄米樋９８と、色選樋１００と、玄米採取手段を構成する採取樋１９８と、が連通されている。切換弁９６は、玄米樋９８、色選樋１００及び採取樋１９８の何れか１つを解放しかつ他の全てを閉鎖することで、切換ホッパ９４へ搬送された玄米Ｇの自然流下による搬送先を、玄米樋９８側と色選樋１００側と採取樋１９８側とに切り換える。
【００３７】
採取樋１９８は、機枠１２外まで到達しており、切換弁９６により採取樋１９８内へ搬送された玄米Ｇは、採取樋１９８内を自然流下して、機枠１２外へ試料として採取（排出）される。
【００３８】
機枠１２背面側の下段左部には、切換部９２の玄米樋９８側において、竪一軸研削摩擦式の精米部１０２が設けられている。精米部１０２は、玄米搬送経路を構成する上面が開口する玄米タンク１０４を備えており、玄米タンク１０４には玄米樋９８内を自然流下して搬送された玄米Ｇが搬送される。また、玄米タンク１０４の上部には玄米樋９８の下端が挿入されており、このため、玄米Ｇの詰まりや玄米Ｇの過搬送等により玄米タンク１０４内に玄米Ｇが略満杯になった際でも、玄米タンク１０４への玄米Ｇの搬送が停止または抑制されて玄米タンク１０４から玄米Ｇが溢れることが防止される。
【００３９】
精米部１０２では、筒状の精米ケース１０６が立設されており、精米ケース１０６内の上部には、略円筒状の保持筒１０８が立設されている。精米ケース１０６の保持筒１０８直上における上面は玄米タンク１０４の下端に連結されると共に、玄米タンク１０４の下部には羽根車状の精米繰出弁１１０が設けられており、玄米タンク１０４へ搬送された玄米Ｇが、精米繰出弁１１０の回転によって繰り出されて、保持筒１０８内へ流入する。
【００４０】
保持筒１０８内周の上端部以外には、円筒状の研削精米筒１１２が保持されており、研削精米筒１１２の内周面全体には砥粒（図示省略）が設けられている。研削精米筒１１２内には円柱状の研削精米ロール１１４が立設されており、研削精米ロール１１４の外周面には、縦断面球面状の送米螺旋１１６が螺旋状に形成されている。これにより、研削精米ロール１１４が回転されることで、保持筒１０８内へ流入した玄米Ｇが、研削精米筒１１２と研削精米ロール１１４との間で送米螺旋１１６の回転による遠心力及び下降力を受けつつ、研削精米筒１１２内周面の砥粒によって研削されて研削精米される。
【００４１】
保持筒１０８の直下には、略６〜８角形筒状の摩擦精米筒１１８が立設されており、摩擦精米筒１１８内は研削精米筒１１２内に連通して研削精米筒１１２内の米Ｇが摩擦精米筒１１８内へ流下する。摩擦精米筒１１８内には摩擦精米ロール１２０が立設されており、摩擦精米ロール１２０は研削精米ロール１１４と同一軸上に一体に連結されると共に、摩擦精米ロール１２０の外周面には所定数（本実施の形態では２つ）の平行突条１２２が軸方向に沿って設けられている。これにより、研削精米ロール１１４と共に摩擦精米ロール１２０が回転されることで、摩擦精米筒１１８内へ流下した玄米Ｇが、摩擦精米筒１１８と摩擦精米ロール１２０との間で平行突条１２２の回転によって攪拌され、玄米Ｇ相互間で摩擦力が作用して摩擦精米される。
【００４２】
摩擦精米筒１１８の外周全体には多数の除糠孔１２４が形成されており、摩擦精米筒１１８と精米ケース１０６との間は除糠室１２６とされている。このため、玄米Ｇを研削精米及び摩擦精米して生じる糠Ｎが多数の除糠孔１２４を介して除糠室１２６へ排出される。また、除糠室１２６の下部は、パイプ１２８を介して機枠１２外へ連絡されており、除糠室１２６へ排出された糠Ｎがパイプ１２８を経て機枠１２外へ排出される。
【００４３】
摩擦精米筒１１８内の下部は、傾斜した精米搬送樋１３０に連通しており、摩擦精米筒１１８内の下部まで流下して研削精米及び摩擦精米された玄米Ｇが白米Ｈになって、精米搬送樋１３０内を自然流下して搬送される。
【００４４】
また、玄米タンク１０４へ搬送される玄米Ｇ内に籾Ｍが混入する場合でも、この籾Ｍは研削精米及び摩擦精米されて籾殻Ｄが剥離されることで白米Ｈになって精米搬送樋１３０内を搬送される一方、剥離された籾殻Ｄは糠Ｎになって機枠１２外へ排出される。
【００４５】
機枠１２の左端部には、精米部１０２の側方において、スクリュー式の揚穀機１３２が設けられている。揚穀機１３２は、上面が開口する揚穀ホッパ１３４を備えており、揚穀ホッパ１３４には精米搬送樋１３０内を搬送された白米Ｈ（穀物）が搬送される。また、揚穀ホッパ１３４の上部には精米搬送樋１３０の下端が挿入されており、このため、白米Ｈの詰まりや白米Ｈの過搬送等により揚穀ホッパ１３４内に白米Ｈが略満杯になった際でも、揚穀ホッパ１３４への白米Ｈの搬送が停止または抑制されて揚穀ホッパ１３４から白米Ｈが溢れることが防止される。
【００４６】
揚穀機１３２は、筒状の揚穀筒１３６を備えており、揚穀筒１３６は機枠１２の下端から上端に亘って立設されている。揚穀筒１３６の下部には揚穀ホッパ１３４の下部が連通されており、揚穀ホッパ１３４へ搬送された白米Ｈが揚穀筒１３６内の下部へ自然流下して搬送される。
【００４７】
揚穀筒１３６内には、揚穀スクリュー１３８が設けられており、揚穀スクリュー１３８の上端以外の外周には、螺旋状の揚穀羽根１４０が設けられている。このため、揚穀スクリュー１３８が回転されることで、揚穀筒１３６内の下部に搬送された白米Ｈが揚穀羽根１４０の回転によって揚穀筒１３６内を上昇される。
【００４８】
揚穀スクリュー１３８の上端外周には、板状の排出羽根１４２が所定数設けられると共に、揚穀筒１３６の上端には、揚穀搬送樋１４４の基端が連通されており、揚穀筒１３６内を上昇されて揚穀筒１３６の上端まで搬送された白米Ｈが、排出羽根１４２の回転による遠心力によって揚穀搬送樋１４４内を搬送される。
【００４９】
機枠１２背面側の上段左部には、揚穀機１３２の側方において、選別部としての振動式の砕米選別部１４６が設けられている。砕米選別部１４６は、筒状の砕米選別筒１４８を備えており、砕米選別筒１４８内には、傾斜されると共に多数の砕米孔１５２が形成された砕米選別網１５０が設けられている。砕米選別網１５０の傾斜上側上方には揚穀搬送樋１４４の先端が配置されており、揚穀搬送樋１４４内を搬送された白米Ｈが砕米選別網１５０上へ自然流下して搬送される。
【００５０】
砕米選別網１５０の下方には上面が開口する箱状の砕米収容ケース１５４が設けられており、砕米収容ケース１５４の上面には砕米選別網１５０が固定されて、砕米収容ケース１５４は砕米選別網１５０と共に傾斜されている。また、砕米収容ケース１５４の底面には、傾斜下部において砕米流下口１５６が形成されている。
【００５１】
ここで、砕米選別網１５０及び砕米収容ケース１５４が略傾斜方向へ揺動されることで、砕米選別網１５０上へ搬送された白米Ｈ内の砕米Ｊ（精米等による砕米）が砕米孔１５２を通過して砕米収容ケース１５４内に落下し、砕米収容ケース１５４底面を傾斜下方に滑り降りて砕米流下口１５６から落下する。一方、砕米Ｊが除去された白米Ｈは砕米選別網１５０上を傾斜下方に滑り降りて砕米選別網１５０の傾斜下端から落下する。
【００５２】
砕米選別筒１４８内の下部は、パイプ（図示省略）を介して機枠１２外へ連絡されており、砕米収容ケース１５４の砕米流下口１５６から落下した砕米Ｊがパイプを経て機枠１２外へ排出される。
【００５３】
砕米選別筒１４８の外周には、砕選搬送樋１６０の基端が連通されており、砕米Ｊが除去されて砕米選別網１５０の傾斜下端から落下する白米Ｈが、砕選搬送樋１６０に受け止められて砕選搬送樋１６０内を自然流下して搬送される。
【００５４】
機枠１２背面側の下段右部には、砕米選別部１４６の白米Ｈ搬出側において、選別部としてのベルト式の色彩選別部１６２が設けられている。色彩選別部１６２は、上面が開口する色選タンク１６４を備えており、色選タンク１６４には砕選搬送樋１６０内を搬送された白米Ｈが自然流下して搬送される。また、色選タンク１６４の上部には砕選搬送樋１６０の下端が挿入されており、このため、白米Ｈの詰まりや白米Ｈの過搬送等により色選タンク１６４内に白米Ｈが略満杯になった際でも、色選タンク１６４への白米Ｈの搬送が停止または抑制されて色選タンク１６４から白米Ｈが溢れることが防止される。
【００５５】
色選タンク１６４の下部は、箱状の色選ケース１６８内の上部に挿入されており、色選ケース１６８内には、ベルトコンベア１７０が水平に設けられている。ベルトコンベア１７０には両端において色選ローラ１７２が設けられており、一対の色選ローラ１７２には色選ベルト１７４が巻き掛けられている。色選ベルト１７４の一端部直上には色選タンク１６４の下端が配置されると共に、色選タンク１６４の下部には羽根車状の色選繰出弁１７６が設けられており、色選タンク１６４へ搬送された白米Ｈが、色選繰出弁１７６の回転によって繰り出されて、上側の色選ベルト１７４上へ搬送される。また、各色選ローラ１７２の回転によって色選ベルト１７４が回動されることで、色選ベルト１７４上へ搬送された白米Ｈが、搬送されて色選ベルト１７４の他端から自由落下する。
【００５６】
ベルトコンベア１７０の下方には、一対のカメラ１７８（例えばラインセンサカメラ）が米Ｈの自由落下軌道を挟んで設置されており、一対のカメラ１７８によって白米Ｈが表裏二面から撮影される。これにより、撮影された白米Ｈが良米Ｒ（精米）であるか着色米Ｆ（精米不良米）であるかが判定される。
【００５７】
一対のカメラ１７８の下方には、白米Ｈの自由落下軌道の側方においてエジェクタ１８０が設置されている。エジェクタ１８０にはＬ字状の板バネ１８２及びソレノイド１８４が設けられており、一対のカメラ１７８によって撮影された白米Ｈが着色米Ｆと判定された際にはソレノイド１８４が瞬間的に板バネ１８２を叩いて板バネ１８２が着色米Ｆを弾く一方、一対のカメラ１７８によって撮影された白米Ｈが良米Ｒと判定された際にはソレノイド１８４が作動せずに板バネ１８２が良米Ｒを弾かない構成とされている。
【００５８】
エジェクタ１８０の下方には、白米Ｈの自由落下軌道に対応して良米用通路１８６が設けられており、良米用通路１８６内には板バネ１８２に弾かれなかった良米Ｒがそのままの軌道で落下する。良米用通路１８６の側方には着色米用通路１８８が設けられており、着色米用通路１８８内には板バネ１８２に弾かれた着色米Ｆが落下する。これにより、白米Ｈが良米Ｒと着色米Ｆとに選別される。
【００５９】
色選ケース１６８の下部には、良米用通路１８６に連通する良米口１９０が設けられる一方、着色米用通路１８８の下部はパイプ（図示省略）を介して機枠１２外へ連絡されており、良米用通路１８６内に落下した良米Ｒが自然流下して良米口１９０から排出される一方、着色米用通路１８８内に落下した着色米Ｆがパイプを経て機枠１２外へ排出される。
【００６０】
さらに、上記切換ホッパ９４へ搬送された玄米Ｇの搬送先が切換弁９６によって色選樋１００側へ切り換えられた際には、玄米Ｇが色選樋１００内を自然流下して色選タンク１６４へ搬送される。また、色選タンク１６４には色選樋１００の下端が挿入されており、このため、玄米Ｇの詰まりや玄米Ｇの過搬送等により色選タンク１６４内に玄米Ｇが略満杯になった際でも、色選タンク１６４への玄米Ｇの搬送が停止または抑制されて色選タンク１６４から玄米Ｇが溢れることが防止される。
【００６１】
このように色選タンク１６４内へ搬送された玄米Ｇは、上記と同様に、良米Ｒ（玄米）であるか着色米Ｆ（玄米Ｇ内に僅かに混入する籾Ｍや籾摺不良玄米Ｇ）であるかを判定選別されて、良米Ｒが良米用通路１８６を経て良米口１９０から排出される一方、着色米Ｆが着色米用通路１８８及びパイプを経て機枠１２外へ排出される。
【００６２】
機枠１２前面側の下段右部には、玄米採取手段を構成するタッチパネル式の操作部１９４が設けられている。操作部１９４には、液晶のタッチパネル１９６が設けられており、タッチパネル１９６が操作されることで、上記籾摺部１８、風力選別部３４、粒径選別部５６、石抜選別部７６、切換部９２、精米部１０２、揚穀機１３２、砕米選別部１４６及び色彩選別部１６２が制御される（始動停止制御や運転制御等の他、切換弁９６による玄米Ｇの搬送先の選択制御を含む）。
【００６３】
操作部１９４は、切換弁９６による玄米Ｇの搬送先を採取樋１９８にする制御を、タッチパネル１９６の操作によって、または、予め作成されたプログラムにより自動的（場合によっては定期的）に、行う構成とされている。
【００６４】
次に、本実施の形態の作用を説明する。
【００６５】
以上の構成の穀物調製装置１０では、先ず、操作部１９４のタッチパネル１９６を操作することで、籾摺部１８、風力選別部３４、粒径選別部５６、石抜選別部７６、切換部９２、精米部１０２、揚穀機１３２、砕米選別部１４６及び色彩選別部１６２を始動させると共に、切換弁９６による玄米Ｇの搬送先を選択する。
【００６６】
穀物乾燥機によって乾燥された籾Ｍが、籾搬送樋２２を介して籾摺部１８の籾摺ホッパ２０へ搬送されると、籾摺繰出弁２６の回転によって外周ケース２４内の中心部に流入して、高速で回転する複数の回転翼２８によって放射状に放出されることで、ライニング板３０に衝突して脱ぷ処理される。
【００６７】
籾Ｍが脱ぷ処理された後の摺出米Ｓは、複数の回転翼２８の回転により案内筒３２を介して風力選別部３４の風選室３６内の上部へ案内される。風選室３６内では、摺出米Ｓ内の粉塵Ｃ及び籾殻Ｄが、籾殻排出ブロワ４８によってそれぞれ風選路４０、４２に吸い上げ流入されて籾殻排出ブロワ４８及び籾殻排出管５０を経て機枠１２外へ排出されると共に、摺出米Ｓ内の粃Ｔが、籾殻排出ブロワ４８によって風選路４４に吸い上げ流入されてパイプを経て機枠１２外へ排出される。さらに、摺出米Ｓ内の玄米Ｇは、風選路４６に流入されて風選搬送樋５４内を自然流下して搬送される。
【００６８】
風選搬送樋５４内を搬送された玄米Ｇは、粒径選別部５６の粒選ホッパ５８へ搬送されて、粒選筒６２内の下部へ搬送される。粒選筒６２内では、玄米Ｇが回転する揚穀ロール６４の揚穀螺旋６６によって遠心力を受けつつ上昇する。これにより、玄米Ｇ内の屑米Ｋが多数の粒選孔６８を介して屑米室７０へ除去され、パイプを経て機枠１２外へ排出される。
【００６９】
屑米Ｋが除去された玄米Ｇは、揚穀ロール６４の搬出羽根７２の回転による遠心力によって粒選搬送樋７４内を搬送され、石抜選別部７６の石抜選別板８０上へ自然流下して搬送される。ここで、石抜選別板８０が略傾斜方向へ揺動されると共に、石抜選別板８０上に通風孔８４を介して風が吹き上げられることで、玄米Ｇ内の小石Ｉは下層へ沈下しかつ突起８２に当接して石抜選別板８０の傾斜上端から落下する一方、玄米Ｇは上層へ浮上しかつ滑り降りて石抜選別板８０の傾斜下端から落下する。その後、小石Ｉはパイプを経て機枠１２外へ排出される一方、小石Ｉが除去された玄米Ｇは石抜搬送樋９０内を自然流下して切換部９２の切換ホッパ９４へ搬送される。
【００７０】
切換ホッパ９４へ搬送された玄米Ｇの搬送先は、切換弁９６によって玄米樋９８側と色選樋１００側と採取樋１９８側とに切り換えられる。
【００７１】
切換ホッパ９４へ搬送された玄米Ｇが切換弁９６によって玄米樋９８側へ搬送される際には、玄米樋９８からの玄米Ｇが精米部１０２の玄米タンク１０４へ自然流下して搬送される。玄米タンク１０４へ搬送された玄米Ｇは、精米繰出弁１１０の回転によって保持筒１０８内へ流入されることで、研削精米筒１１２と回転する研削精米ロール１１４との間で送米螺旋１１６によって遠心力及び下降力を受けつつ研削精米筒１１２内周面の砥粒によって研削されて研削精米された後、摩擦精米筒１１８と回転する摩擦精米ロール１２０との間で平行突条１２２によって攪拌されて摩擦精米される。玄米Ｇを研削精米及び摩擦精米して生じる糠Ｎは、多数の除糠孔１２４を介して除糠室１２６へ排出され、パイプ１２８を経て機枠１２外へ排出される。また、研削精米及び摩擦精米された玄米Ｇは白米Ｈになって、精米搬送樋１３０内を自然流下して搬送される。
【００７２】
精米搬送樋１３０内を搬送された白米Ｈは、揚穀機１３２の揚穀ホッパ１３４へ自然流下して揚穀筒１３６内の下部へ搬送され、揚穀スクリュー１３８が回転されることで、揚穀羽根１４０の回転によって揚穀筒１３６内を上昇される。揚穀筒１３６内を上昇して揚穀筒１３６の上端まで搬送された白米Ｈは、排出羽根１４２の回転による遠心力によって揚穀搬送樋１４４内を搬送される。
【００７３】
揚穀搬送樋１４４内を搬送された白米Ｈは、砕米選別部１４６の砕米選別網１５０上へ自然流下して搬送される。ここで、砕米選別網１５０及び砕米収容ケース１５４が略傾斜方向へ揺動されることで、白米Ｈ内の砕米Ｊが砕米孔１５２を通過しかつ砕米収容ケース１５４底面を傾斜下方に滑り降りて砕米流下口１５６から落下する一方、砕米Ｊが除去された白米Ｈは砕米選別網１５０上を傾斜下方に滑り降りて砕米選別網１５０の傾斜下端から落下する。その後、砕米Ｊはパイプを経て機枠１２外へ排出される一方、砕米Ｊが除去された白米Ｈは砕選搬送樋１６０内を自然流下して、色彩選別部１６２の色選タンク１６４へ搬送される。
【００７４】
色選タンク１６４内へ搬送された白米Ｈは、色選繰出弁１７６の回転によって色選ベルト１７４の一端部上へ搬送され、色選ベルト１７４が回動されることで搬送されて色選ベルト１７４の他端から自由落下する。色選ベルト１７４の他端から自由落下した白米Ｈは、一対のカメラ１７８によって撮影されて良米Ｒであるか着色米Ｆであるかが判定された後、良米Ｒは良米用通路１８６内にそのままの軌道で落下して良米口１９０から排出される一方、着色米Ｆはエジェクタ１８０の板バネ１８２によって弾かれることで着色米用通路１８８内に落下してパイプを経て機枠１２外へ排出される。
【００７５】
また、切換ホッパ９４へ搬送された玄米Ｇが切換弁９６によって色選樋１００側へ搬送される際には、玄米Ｇが色選樋１００内を自然流下して色選タンク１６４へ搬送され、上記と同様に、良米Ｒであるか着色米Ｆであるかが判定選別されて、良米Ｒが良米用通路１８６を経て良米口１９０から排出される一方、着色米Ｆが着色米用通路１８８及びパイプを経て機枠１２外へ排出される。
【００７６】
このように、穀物調製装置１０では、籾摺部１８で籾Ｍを摺って摺出米Ｓ（玄米Ｇを含む）にし、籾摺部１８の後工程の風力選別部３４で摺出米Ｓから籾殻Ｄ、粉塵Ｃ及び粃Ｔを除去することで玄米Ｇを取り出して玄米Ｇを精選し、風力選別部３４の後工程の粒径選別部５６で玄米Ｇから屑米Ｋを除去して玄米Ｇを精選し、粒径選別部５６の後工程の石抜選別部７６で玄米Ｇから小石Ｉを除去して玄米Ｇを精選し、石抜選別部７６の後工程の精米部１０２で玄米Ｇを精米して白米Ｈにし、精米部１０２の後工程の砕米選別部１４６で白米Ｈから砕米Ｊを除去して白米Ｈを精選し、砕米選別部１４６または石抜選別部７６の後工程の色彩選別部１６２で白米Ｈまたは玄米Ｇから着色米Ｆを除去して白米Ｈまたは玄米Ｇを精選することで、精選された白米Ｈまたは玄米Ｇを生産する。
【００７７】
また、穀物調製装置１０では、籾摺部１８、風力選別部３４、粒径選別部５６、石抜選別部７６、切換部９２、精米部１０２、揚穀機１３２、砕米選別部１４６、色彩選別部１６２及び操作部１９４が１つの機枠１２に設置されると共に、機枠１２がカバー１４で覆われて一体化されている。
【００７８】
ここで、切換ホッパ９４へ搬送された玄米Ｇが切換弁９６によって採取樋１９８側へ搬送される際には、所定量の玄米Ｇが採取樋１９８内を自然流下して機枠１２外へ試料として採取される。このため、採取樋１９８から機枠１２外へ採取された玄米Ｇによって、玄米Ｇの外観検査（整粒、屑粒、被害粒等の混入割合についての検査）を行うことができ、米の等級判定（ランク付け）を行うことができる。
【００７９】
さらに、精米部１０２とその直前工程の石抜選別部７６との間の切換弁９６によって玄米Ｇが機枠１２外へ採取されるため、採取された玄米Ｇは風力選別部３４、粒径選別部５６及び石抜選別部７６により精選されたものである。これにより、玄米Ｇの外観検査を良好に行うことができて、米の等級判定を良好に行うことができる。
【００８０】
［第２の実施の形態］
図３には、本発明の第２の実施の形態に係る穀物調製装置２００が展開された状態の模式図で示されており、図４には、穀物調製装置２００が斜視図にて示されている。
【００８１】
本実施の形態に係る穀物調製装置２００は、第１の実施の形態と同様の機枠１２、所定数のキャスタ、カバー１４及び仕切枠１６を備えており、穀物調製装置１０には第１の実施の形態と同様の穀物乾燥機が併設されている。
【００８２】
機枠１２後面側の下段左部上側には、振動式の粗選別部２０２が設けられている。粗選別部２０２は、上面が開口する粗選ホッパ２０４を備えており、粗選ホッパ２０４には、穀物乾燥機によって乾燥された籾Ｍが、傾斜された籾搬送樋２０６を介して自然流下されて搬送される。また、粗選ホッパ２０４の上部には籾搬送樋２０６の下端が挿入されており、このため、籾Ｍの詰まりや籾Ｍの過搬送等により粗選ホッパ２０４内に籾Ｍが略満杯になった際でも、粗選ホッパ２０４への籾Ｍの搬送が停止または抑制されて粗選ホッパ２０４から籾Ｍが溢れることが防止される。
【００８３】
粗選別部２０２は、箱状の粗選別箱２０８を備えており、粗選別箱２０８の底面は傾斜されている。粗選別箱２０８内には粗選別網２１０が設けられており、粗選別網２１０は、傾斜されると共に多数の粗選孔２１２が形成されている。粗選別箱２０８内の上部には粗選ホッパ２０４の下部が挿入されると共に、粗選ホッパ２０４の下部は粗選別網２１０の傾斜上側上方に配置されており、粗選ホッパ２０４内を搬送された籾Ｍが粗選別網２１０上へ自然流下して搬送される。
【００８４】
ここで、粗選別網２１０が略傾斜方向へ揺動されることで、粗選別網２１０上へ搬送された籾Ｍ内のわら屑Ｗが粗選孔２１２を通過せずに粗選別網２１０上を傾斜下方に滑り降りて粗選別網２１０の傾斜下端から落下する。また、籾Ｍは、粗選孔２１２を通過することでわら屑Ｗが除去されて、粗選別箱２０８の底面を傾斜下方に滑り降りる。
【００８５】
粗選別箱２０８の外周には、傾斜されたわら屑搬送樋２１４が連通されており、籾Ｍから除去されて粗選別網２１０の傾斜下端から落下するわら屑Ｗが、わら屑搬送樋２１４に受け止められてわら屑搬送樋２１４内を自然流下して搬送される。わら屑搬送樋２１４の下端は、パイプ（図示省略）を介して機枠１２外へ連絡されており、わら屑搬送樋２１４内を搬送されたわら屑Ｗがパイプを経て機枠１２外へ排出される。
【００８６】
粗選別箱２０８の底部には、粗選搬送樋２１６が連通されており、わら屑Ｗが除去されて粗選別箱２０８底面を傾斜下方に滑り降りた籾Ｍが、粗選搬送樋２１６内を自然流下して搬送される。
【００８７】
機枠１２後面側の下段左部下側には、粗選別部２０２の下方において、第１の実施の形態とほぼ同様の籾摺部１８が設けられている。籾摺部１８の籾摺ホッパ２０には、粗選搬送樋２１６内を搬送された籾Ｍが自然流下されて搬送される。また、籾摺ホッパ２０の上部には粗選搬送樋２１６の下端が挿入されており、このため、籾Ｍの詰まりや籾Ｍの過搬送等により籾摺ホッパ２０内に籾Ｍが略満杯になった際でも、籾摺ホッパ２０への籾Ｍの搬送が停止または抑制されて籾摺ホッパ２０から籾Ｍが溢れることが防止される。
【００８８】
籾摺ホッパ２０の下部には、振動フィーダ式またはスクリュー式の定量供給装置２１８が設けられており、定量供給装置２１８によって、籾摺ホッパ２０から外周ケース２４内の中心部へ流入する籾Ｍの量が一定とされる。
【００８９】
機枠１２背面側の上段左部には、籾摺部１８の上方において第１の実施の形態と同様の風力選別部３４が設けられている。
【００９０】
機枠１２背面側の上段左右中央部には、風力選別部３４の側方において、玄米搬送経路を構成する選別部としての横型回転式の粒径選別部２２０が設けられている。粒径選別部２２０には、上面が開口する粒選ホッパ２２２が設けられており、風力選別部３４の風選搬送樋５４内を搬送された玄米Ｇが自然流下して粒選ホッパ２２２へ搬送される。また、粒選ホッパ２２２の上部には風選搬送樋５４の下端が挿入されており、このため、籾Ｍの詰まりや籾Ｍの過搬送等により粒選ホッパ２２２内に籾Ｍが略満杯になった際でも、粒選ホッパ２２２への籾Ｍの搬送が停止または抑制されて粒選ホッパ２２２から籾Ｍが溢れることが防止される。
【００９１】
粒径選別部２２０は、箱状の粒選箱２２４が設けられており、粒選箱２２４内には円筒状の粒選筒２２６が傾斜された状態で設けられている。粒選筒２２６内の傾斜上部には粒選ホッパ２２２の下端が挿入されており、粒選ホッパ２２２内を搬送された玄米Ｇが粒選筒２２６内の傾斜上部に搬送される。ここで、粒選筒２２６が回転されることで、粒選筒２２６内の傾斜上部に搬送された玄米Ｇが遠心力を受けつつ粒選筒２２６内を下降する。
【００９２】
粒選筒２２６の外周には多数の粒選孔２２８が形成されており、上述の如く遠心力を受けつつ粒選筒２２６内を下降する玄米Ｇから屑米Ｋ（未熟粒）が多数の粒選孔２２８を介して粒選筒２２６外へ移動することで、玄米Ｇから粒の大きさにより屑米Ｋが除去されると共に、屑米Ｋが除去された玄米Ｇが粒選筒２２６の傾斜下端から落下する。
【００９３】
粒選筒２２６下側部位の下方における粒選箱２２４の底部は、漏斗状の屑米搬送樋２３０とされており、粒選筒２２６外へ移動した屑米Ｋが、粒選箱２２４内から屑米搬送樋２３０内を自然流下して搬送される。屑米搬送樋２３０の下端は、パイプ（図示省略）を介して機枠１２外へ連絡されており、屑米搬送樋２３０内を搬送された屑米Ｋがパイプを経て機枠１２外へ排出される。
【００９４】
粒選筒２２６傾斜下端の下方における粒選箱２２４の底部は、漏斗状の粒選搬送樋２３２とされており、屑米Ｋが除去されて粒選筒２２６の傾斜下端から落下した玄米Ｇが、粒選搬送樋２３２内を自然流下して搬送される。
【００９５】
機枠１２背面側の下段左右中央部上側には、粒径選別部２２０の下方において、玄米搬送経路を構成する選別部としての振動式の籾選別部２３４が設けられている。籾選別部２３４は、上面が開口する籾選ホッパ２３６を備えており、籾選ホッパ２３６には、粒選搬送樋２３２内を搬送された玄米Ｇが搬送される。また、籾選ホッパ２３６の上部には粒選搬送樋２３２の下端が挿入されており、このため、玄米Ｇの詰まりや玄米Ｇの過搬送等により籾選ホッパ２３６内に玄米Ｇが略満杯になった際でも、籾選ホッパ２３６への玄米Ｇの搬送が停止または抑制されて籾選ホッパ２３６から玄米Ｇが溢れることが防止される。
【００９６】
籾選別部２３４は、箱状の籾選別箱２３８を備えており、籾選別箱２３８内には、傾斜されると共に多数の籾選孔２４０が形成された籾選別網２４２が設けられている。籾選別箱２３８内の上部には籾選ホッパ２３６の下部が挿入されると共に、籾選ホッパ２３６の下部は籾選別網２４２の傾斜上側上方に配置されており、籾選ホッパ２３６内を自然流下して搬送された玄米Ｇが、籾選別網２４２上へ自然流下して搬送される。
【００９７】
籾選別網２４２の下方には上面が開口する箱状の玄米収容ケース２４４が設けられており、玄米収容ケース２４４の上面には籾選別網２４２が固定されて、玄米収容ケース２４４は籾選別網２４２と共に傾斜されている。また、玄米収容ケース２４４の底面には、傾斜下側において玄米流下口２４６が形成されている。
【００９８】
ここで、籾選別網２４２が略傾斜方向へ揺動されることで、籾選別網２４２上へ搬送された玄米Ｇ内の籾Ｍが籾選孔２４０を通過せずに籾選別網２４２上を傾斜下方に滑り降りて籾選別網２４２の傾斜下端から落下する。また、玄米Ｇは、籾選孔２４０を通過することで籾Ｍが除去されて、玄米収容ケース２４４の底面を傾斜下方に滑り降り、玄米流下口２４６から落下する。
【００９９】
籾選別箱２３８の外周には、傾斜された籾搬出樋２４８が連通されており、玄米Ｇから除去されて籾選別網２４２の傾斜下端から落下する籾Ｍが、籾搬出樋２４８に受け止められる。籾搬出樋２４８の下端は、ホース２５０を介して籾摺部１８の外周ケース２４中心部に連通されており、籾搬出樋２４８に受け止められた籾Ｍが、籾摺部１８の複数の回転翼２８の回転によって、ホース２５０を経て外周ケース２４内の中心部へ吸引流入されて、再度脱ぷ処理される。
【０１００】
玄米流下口２４６の下方における籾選別箱２３８の底部には、漏斗状の籾選搬送樋２５２が連通されており、籾Ｍが除去されて玄米流下口２４６から落下した玄米Ｇが、籾選搬送樋２５２内を自然流下して搬送される。
【０１０１】
機枠１２背面側の下段左右中央部下側には、籾選別部２３４の下方において、第１の実施の形態とほぼ同様の石抜選別部７６が設けられている。石抜選別部７６の石抜選別板８０上方には上記籾選搬送樋２５２の下端が配置されており、籾選搬送樋２５２内を搬送された玄米Ｇが石抜選別板８０上へ自然流下して搬送される。
【０１０２】
石抜選別部７６の石抜選別筒７８外周には、石抜選別板８０の傾斜上端に対応する位置に、傾斜した小石搬送樋２５４が設けられると共に、小石搬送樋２５４の下端はパイプ（図示省略）を介して機枠１２外へ連絡されており、石抜選別板８０の傾斜上端から落下した小石Ｉが、小石搬送樋２５４に受け止められてパイプを経て機枠１２外へ排出される。
【０１０３】
機枠１２の略中央部には、石抜選別部７６の側方において、第１の実施の形態とほぼ同様の揚穀機１３２が設けられている。本実施の形態の揚穀機１３２は玄米搬送経路を構成しており、揚穀機１３２の揚穀ホッパ１３４には、石抜選別部７６の石抜搬送樋９０内を搬送された玄米Ｇが搬送される。また、揚穀ホッパ１３４の上部には石抜搬送樋９０の下端が挿入されており、このため、玄米Ｇの詰まりや玄米Ｇの過搬送等により揚穀ホッパ１３４内に玄米Ｇが略満杯になった際でも、揚穀ホッパ１３４への玄米Ｇの搬送が停止または抑制されて揚穀ホッパ１３４から玄米Ｇが溢れることが防止される。なお、本実施の形態の揚穀機１３２には揚穀搬送樋１４４が設けられていない。
【０１０４】
揚穀機１３２の揚穀筒１３６外周には、玄米採取手段を構成する採取樋３１６が設けられており、揚穀筒１３６の採取樋３１６設置部分には、玄米採取手段を構成する採取口（図示省略）が形成されている。採取口は、玄米採取手段を構成する閉塞蓋（図示省略）により閉塞されており、閉鎖蓋に接続された玄米採取手段を構成するモータまたはソレノイド等の駆動装置（図示省略）により閉鎖蓋が移動されて採取口が開放された際には、揚穀筒１３６内を上昇される玄米Ｇが採取口から採取樋３１６内へ搬送される。
【０１０５】
採取樋３１６は、機枠１２外まで到達しており、採取口から採取樋３１６内へ搬送された玄米Ｇは、採取樋３１６内を自然流下して、機枠１２外へ試料として採取（排出）される。
【０１０６】
機枠１２の上段には、揚穀機１３２の上端及びその近傍において、切換部２５６が設けられている。切換部２５６は精米切換弁２５８及び玄米切換弁２６０を備えており、精米切換弁２５８及び玄米切換弁２６０は、揚穀機１３２の揚穀筒１３６上端に配置されている。
【０１０７】
精米切換弁２５８の側方には、後述する研削ケース２６８が設けられており、精米切換弁２５８が解放された際には、研削ケース２６８が揚穀筒１３６内の上端に連通され、これにより、揚穀筒１３６内を上昇されて揚穀筒１３６の上端まで搬送された玄米Ｇが、揚穀機１３２の排出羽根１４２の回転による遠心力によって研削ケース２６８へ搬送される。
【０１０８】
玄米切換弁２６０の側方には、玄米タンク２６２が設けられており、玄米切換弁２６０が解放された際には、玄米タンク２６２は揚穀筒１３６内の上端に連通され、これにより、揚穀筒１３６の上端まで搬送された玄米Ｇが、排出羽根１４２の回転による遠心力によって玄米タンク２６２へ搬送される。玄米タンク２６２の下端には、傾斜した色選樋２６４が連通されており、玄米タンク２６２内を自然流下して搬送された玄米Ｇが、色選樋２６４内を自然流下して搬送される。
【０１０９】
機枠１２前面側の上段右部には、切換部２５６の玄米切換弁２６０側において、精米部２６６が設けられている。精米部２６６は、略円筒箱状の研削ケース２６８を備えており、研削ケース２６８内には円柱状の研削ロール２７０が立設されている。研削ロール２７０の外周全体には金属ブラシ２７２が植設されており、研削ロール２７０が回転されることで、上述の如く研削ケース２６８へ搬送された玄米Ｇが、研削ケース２６８と研削ロール２７０との間で金属ブラシ２７２の回転によって研削精米されて（表面に軽い傷をつけられて）、研削米Ｅにされる。
【０１１０】
研削ケース２６８の下部には研削搬送樋２７４の基端が連通されており、研削ケース２６８内からの研削米Ｅが、金属ブラシ２７２の回転による遠心力によって研削搬送樋２７４内を搬送される。研削ケース２６８及び研削搬送樋２７４は研削米タンク２７６に連通しており、研削米タンク２７６には、研削搬送樋２７４内を搬送された研削米Ｅが自然流下して搬送される。
【０１１１】
精米部２６６では、筒状の摩擦ケース２７８が立設されている。摩擦ケース２７８の上部は、研削米タンク２７６の下端に供給スクリュー２８０を介して連通されており、研削米タンク２７６の下端から搬出された研削米Ｅが、供給スクリュー２８０の駆動により摩擦ケース２７８内の上部へ搬送される。摩擦ケース２７８内には摩擦ロール２８２が立設されると共に、摩擦ロール２８２の上部外周には下降螺旋２８４が螺旋状に設けられており、摩擦ロール２８２が回転されることで、摩擦ケース２７８内の上部へ搬送された研削米Ｅが、下降螺旋２８４の回転により下降される。
【０１１２】
摩擦ケース２７８内の上部には、略６〜８角形筒状の摩擦筒２８６が立設されており、下降螺旋２８４の回転により下降される研削米Ｅが摩擦筒２８６内へ流下されると共に、摩擦筒２８６内には摩擦ロール２８２の上部以外の部位が配置されている。摩擦ロール２８２の上部以外の外周には、所定数（本実施の形態では２つ）の平行突条２８８が軸方向に沿って設けられており、摩擦ロール２８２が回転されることで、摩擦筒２８６内へ流下した研削米Ｅが、摩擦筒２８６と摩擦ロール２８２との間で平行突条２８８の回転によって攪拌され、研削米Ｅ相互間で摩擦力が作用して摩擦精米される。
【０１１３】
摩擦筒２８６の外周全体には多数の除糠孔２９０が形成されており、摩擦筒２８６と摩擦ケース２７８との間は除糠室２９２が形成されている。このため、玄米Ｇを研削精米及び摩擦精米して生じる糠Ｎが多数の除糠孔２９０を介して除糠室２９２へ排出される。また、除糠室２９２の下部は、糠搬送樋２９４及びパイプ（図示省略）を介して機枠１２外へ連絡されており、除糠室１２６へ排出された糠Ｎが、糠搬送樋２９４及びパイプを経て機枠１２外へ排出される。
【０１１４】
摩擦筒２８６内の下部は、傾斜した精米搬送樋２９６に連通しており、摩擦筒２８６内の下部まで流下して研削精米及び摩擦精米が終了した玄米Ｇが白米Ｈになって、精米搬送樋２９６内を自然流下して搬送される。
【０１１５】
機枠１２前面側の上段右部下側には、精米部２６６の精米搬送樋２９６側において、選別部としての斜型回転式の砕米選別部２９８が設けられている。砕米選別部２９８には、上面が開口する砕選ホッパ３００が設けられており、精米搬送樋２９６内を搬送された白米Ｈが自然流下して砕選ホッパ３００へ搬送される。また、砕選ホッパ３００の上部には精米搬送樋２９６の下端が挿入されており、このため、白米Ｈの詰まりや白米Ｈの過搬送等により砕選ホッパ３００内に白米Ｈが略満杯になった際でも、砕選ホッパ３００への白米Ｈの搬送が停止または抑制されて砕選ホッパ３００から白米Ｈが溢れることが防止される。
【０１１６】
砕米選別部２９８には、箱状の砕選箱３０２が傾斜されて設けられており、砕選箱３０２内には円筒状の砕選筒３０４が傾斜された状態で設けられている。砕選筒３０４内の傾斜下部には砕選ホッパ３００の下端が挿入されており、砕選ホッパ３００内を搬送された白米Ｈが砕選筒３０４内の傾斜下部に搬送される。
【０１１７】
砕選筒３０４内には揚穀ロール３０６が立設されており、揚穀ロール３０６の外周には螺旋状の揚穀螺旋３０８が設けられている。このため、揚穀ロール３０６が回転されることで、砕選筒３０４内の傾斜下部に搬送された白米Ｈが揚穀螺旋３０８の回転によって遠心力を受けつつ砕選筒３０４内を上昇する。
【０１１８】
砕選筒３０４の外周には多数の砕選孔３１０が形成されており、上述の如く遠心力を受けつつ砕選筒３０４内を上昇する白米Ｈから砕米Ｊ（精米等による砕米）が多数の砕選孔３１０を介して砕選筒３０４外へ移動することで、白米Ｈから砕米Ｊが除去されると共に、砕米Ｊが除去された白米Ｈが砕選筒３０４の傾斜上端から落下する。
【０１１９】
砕選箱３０２の最下部には、傾斜した砕米搬送樋３１２が連通されており、砕選筒３０４外へ移動した砕米Ｊが、砕選箱３０２内から砕米搬送樋３１２内を自然流下して排出される。砕米搬送樋３１２の下端は、パイプ（図示省略）を介して機枠１２外へ連絡されており、砕米搬送樋３１２内を搬送された砕米Ｊがパイプを経て機枠１２外へ排出される。
【０１２０】
砕選筒３０４傾斜上端の下方における砕選箱３０２の底部は、漏斗状の砕選搬送樋３１４とされており、砕米Ｊが除去されて砕選筒３０４の傾斜上端から落下した白米Ｈが、砕選箱３０２内を経て砕選搬送樋３１４内を自然流下して搬送される。
【０１２１】
機枠１２前面側の下段右部には、砕米選別部２９８の白米Ｈ搬出側において、第１の実施の形態と同様の色彩選別部１６２が設けられている。色彩選別部１６２の色選タンク１６４には砕選搬送樋３１４内を搬送された白米Ｈが搬送される。また、色選タンク１６４の上部には砕選搬送樋３１４の下端が挿入されており、このため、白米Ｈの詰まりや白米Ｈの過搬送等により色選タンク１６４内に白米Ｈが略満杯になった際でも、色選タンク１６４への白米Ｈの搬送が停止または抑制されて色選タンク１６４から白米Ｈが溢れることが防止される。
【０１２２】
さらに、上記玄米切換弁２６０が解放された際には、玄米タンク２６２内及び色選樋２６４内を自然流下して搬送された玄米Ｇが、色選タンク１６４へ搬送される。また、色選タンク１６４には色選樋２６４の下端が挿入されており、このため、玄米Ｇの詰まりや玄米Ｇの過搬送等により色選タンク１６４内に玄米Ｇが略満杯になった際でも、色選タンク１６４への玄米Ｇの搬送が停止または抑制されて色選タンク１６４から玄米Ｇが溢れることが防止される。
【０１２３】
機枠１２前面側の下段左右中央部には、第１の実施の形態とほぼ同様の操作部１９４が設けられている。操作部１９４のタッチパネル１９６が操作されることで、上記粗選別部２０２、籾摺部１８、風力選別部３４、粒径選別部２２０、籾選別部２３４、石抜選別部７６、揚穀機１３２、切換部２５６、精米部２６６、砕米選別部２９８及び色彩選別部１６２が制御される（始動停止制御や運転制御等の他、切換部２５６による玄米Ｇの搬送先の選択制御を含む）。
【０１２４】
操作部１９４は、揚穀筒１３６の採取口を開放する制御（採取樋３１６内へ玄米Ｇを搬送する制御）を、タッチパネル１９６の操作によって、または、予め作成されたプログラムにより自動的（場合によっては定期的）に、行う構成とされている。
【０１２５】
次に、本実施の形態の作用を説明する。
【０１２６】
以上の構成の穀物調製装置２００では、先ず、操作部１９４のタッチパネル１９６を操作することで、粗選別部２０２、籾摺部１８、風力選別部３４、粒径選別部２２０、籾選別部２３４、石抜選別部７６、揚穀機１３２、切換部２５６、精米部２６６、砕米選別部２９８及び色彩選別部１６２を始動させると共に、切換部２５６の精米切換弁２５８または玄米切換弁２６０の解放による玄米Ｇの搬送先を選択する。
【０１２７】
穀物乾燥機によって乾燥された籾Ｍが、籾搬送樋２０６を介して粗選別部２０２の粗選ホッパ２０４へ搬送されると、粗選別網２１０上へ搬送され、粗選別網２１０が略傾斜方向へ揺動されることで、籾Ｍ内のわら屑Ｗが粗選孔２１２を通過せずに粗選別網２１０上を傾斜下方に滑り降りて粗選別網２１０の傾斜下端から落下する一方、籾Ｍは、粗選孔２１２を通過することでわら屑Ｗが除去されて、粗選別箱２０８の底面を傾斜下方に滑り降りる。
【０１２８】
籾Ｍから除去されて粗選別網２１０の傾斜下端から落下するわら屑Ｗは、わら屑搬送樋２１４内及びパイプを経て機枠１２外へ排出される。一方、わら屑Ｗが除去されて粗選別箱２０８底面を傾斜下方に滑り降りた籾Ｍは、粗選搬送樋２１６内を自然流下して搬送される。
【０１２９】
粗選搬送樋２１６内を搬送された籾Ｍは、第１の実施の形態とほぼ同様の籾摺部１８の籾摺ホッパ２０へ搬送されて、脱ぷ処理される。
【０１３０】
籾Ｍが脱ぷ処理された後の摺出米Ｓは、第１の実施の形態と同様の風力選別部３４へ搬送されて、摺出米Ｓ内の粉塵Ｃ、籾殻Ｄ及び粃Ｔが機枠１２外へ排出されると共に、摺出米Ｓ内の玄米Ｇが風選搬送樋５４内を自然流下して搬送される。
【０１３１】
風選搬送樋５４内を搬送された玄米Ｇは、粒径選別部２２０の粒選ホッパ２２２へ搬送されて、粒選筒２２６内の傾斜上部へ搬送される。ここで、粒選筒２２６が回転されることで、粒選筒２２６内の傾斜上部に搬送された玄米Ｇが遠心力を受けつつ粒選筒２２６内を下降し、玄米Ｇから屑米Ｋが多数の粒選孔２２８を介して除去されると共に、屑米Ｋが除去された玄米Ｇが粒選筒２２６の傾斜下端から落下する。
【０１３２】
玄米Ｇから除去された屑米Ｋは、粒選箱２２４内、屑米搬送樋２３０内及びパイプを経て機枠１２外へ排出される。一方、屑米Ｋが除去されて粒選筒２２６の傾斜下端から落下した玄米Ｇは、粒選搬送樋２３２内を自然流下して搬送される。
【０１３３】
粒選搬送樋２３２内を搬送された玄米Ｇは、籾選別部２３４の籾選ホッパ２３６を経て籾選別網２４２上へ搬送され、籾選別網２４２が略傾斜方向へ揺動されることで、玄米Ｇ内の籾Ｍが籾選孔２４０を通過せずに籾選別網２４２上を傾斜下方に滑り降りて籾選別網２４２の傾斜下端から落下する一方、玄米Ｇは、籾選孔２４０を通過することで籾Ｍが除去されて、玄米収容ケース２４４の底面を傾斜下方に滑り降り、玄米流下口２４６から落下する。
【０１３４】
玄米Ｇから除去されて籾選別網２４２の傾斜下端から落下する籾Ｍは、籾搬出樋２４８及びホース２５０を経て外周ケース２４内の中心部へ吸引流入されて、再度脱ぷ処理される。籾Ｍが除去されて玄米流下口２４６から落下した玄米Ｇは、籾選搬送樋２５２内を自然流下して搬送される。
【０１３５】
籾選搬送樋２５２内を搬送された玄米Ｇは、第１の実施の形態とほぼ同様の石抜選別部７６へ搬送されて、小石Ｉが小石搬送樋２５４及びパイプを経て機枠１２外へ排出される一方、小石Ｉが除去された玄米Ｇが石抜搬送樋９０内を搬送される。
【０１３６】
石抜搬送樋９０内を搬送された玄米Ｇは、第１の実施の形態とほぼ同様の揚穀機１３２へ搬送され、揚穀筒１３６内を上昇されて揚穀筒１３６の上端まで搬送される。
【０１３７】
揚穀筒１３６の上端まで搬送された玄米Ｇは、精米切換弁２５８が解放された際に精米部２６６の研削ケース２６８へ搬送される一方、玄米切換弁２６０が解放された際に玄米タンク２６２を経て色選樋２６４内を搬送される。
【０１３８】
精米部２６６の研削ケース２６８へ搬送された玄米Ｇは、研削ロール２７０が回転されることで、研削ケース２６８と研削ロール２７０との間で金属ブラシ２７２の回転によって研削精米されて研削米Ｅにされ、研削搬送樋２７４内を経て研削米タンク２７６へ搬送される。
【０１３９】
研削米タンク２７６へ搬送された研削米Ｅは、供給スクリュー２８０の駆動により摩擦ケース２７８内の上部へ搬送され、摩擦ロール２８２が回転されることで、下降螺旋２８４の回転により摩擦筒２８６内へ流下されて、摩擦筒２８６と摩擦ロール２８２との間で平行突条２８８の回転によって摩擦精米される。
【０１４０】
玄米Ｇを研削精米及び摩擦精米して生じる糠Ｎは、多数の除糠孔２９０、除糠室２９２、糠搬送樋２９４及びパイプを経て機枠１２外へ排出される。一方、研削精米及び摩擦精米が終了した玄米Ｇは、白米Ｈになって、精米搬送樋２９６内を搬送される。
【０１４１】
精米搬送樋２９６内を搬送された白米Ｈは、砕米選別部２９８の砕選ホッパ３００を経て砕選筒３０４内の傾斜下部に搬送され、揚穀ロール３０６が回転されることで、揚穀螺旋３０８の回転によって遠心力を受けつつ砕選筒３０４内を上昇する。これにより、白米Ｈから砕米Ｊが多数の砕選孔３１０を介して除去されると共に、砕米Ｊが除去された白米Ｈが砕選筒３０４の傾斜上端から落下する。
【０１４２】
白米Ｈから除去された砕米Ｊは、砕選箱３０２内、砕米搬送樋３１２内及びパイプを経て機枠１２外へ排出される。一方、砕米Ｊが除去されて砕選筒３０４の傾斜上端から落下した白米Ｈは、砕選箱３０２内を経て砕選搬送樋３１４内を搬送される。
【０１４３】
砕選搬送樋３１４内を搬送された白米Ｈは、第１の実施の形態と同様の色彩選別部１６２へ搬送され、良米Ｒは良米口１９０から排出される一方、着色米Ｆはパイプを経て機枠１２外へ排出される。また、上述の如く玄米切換弁２６０が解放されて玄米Ｇが色選樋２６４内を搬送された際でも、良米Ｒは良米口１９０から排出される一方、着色米Ｆはパイプを経て機枠１２外へ排出される。
【０１４４】
このように、穀物調製装置２００では、粗選別部２０２で籾Ｍからわら屑Ｗを除去し、粗選別部２０２の後工程の籾摺部１８で籾Ｍを摺って摺出米Ｓ（玄米Ｇを含む）にし、籾摺部１８の後工程の風力選別部３４で摺出米Ｓから籾殻Ｄ、粉塵Ｃ及び粃Ｔを除去することで玄米Ｇを取り出して玄米Ｇを精選し、風力選別部３４の後工程の粒径選別部２２０で玄米Ｇから屑米Ｋを除去して玄米Ｇを精選し、粒径選別部２２０の後工程の籾選別部２３４で玄米Ｇから籾Ｍを除去して玄米Ｇを精選し、籾選別部２３４の後工程の石抜選別部７６で玄米Ｇから小石Ｉを除去して玄米Ｇを精選し、石抜選別部７６の後工程の精米部２６６で玄米Ｇを精米して白米Ｈにし、精米部２６６の後工程の砕米選別部２９８で白米Ｈから砕米Ｊを除去して白米Ｈを精選し、砕米選別部２９８または石抜選別部７６の後工程の色彩選別部１６２で白米Ｈまたは玄米Ｇから着色米Ｆを除去して白米Ｈまたは玄米Ｇを精選することで、精選された白米Ｈまたは玄米Ｇを生産する。
【０１４５】
また、穀物調製装置２００では、粗選別部２０２、籾摺部１８、風力選別部３４、粒径選別部２２０、籾選別部２３４、石抜選別部７６、揚穀機１３２、切換部２５６、精米部２６６、砕米選別部２９８、色彩選別部１６２及び操作部１９４が１つの機枠１２に設置されると共に、機枠１２がカバー１４で覆われて一体化されている。
【０１４６】
ここで、揚穀筒１３６の採取口が開放されて揚穀筒１３６内の玄米Ｇが採取口から採取樋３１６内へ搬送される際には、所定量の玄米Ｇが採取樋３１６内を自然流下して機枠１２外へ試料として採取される。このため、採取樋３１６から機枠１２外へ採取された玄米Ｇによって、玄米Ｇの外観検査（整粒、屑粒、被害粒等の混入割合についての検査）を行うことができ、米の等級判定（ランク付け）を行うことができる。
【０１４７】
さらに、精米部２６６とその直前工程の石抜選別部７６との間の揚穀筒１３６から玄米Ｇが機枠１２外へ採取されるため、採取された玄米Ｇは粗選別部２０２、風力選別部３４、粒径選別部２２０、籾選別部２３４及び石抜選別部７６により精選されたものである。これにより、玄米Ｇの外観検査を良好に行うことができて、米の等級判定を良好に行うことができる。
【０１４８】
なお、本実施の形態において、粗選別部２０２及び籾選別部２３４の少なくとも一方を設けない構成としてもよい。また、例えば籾選別部２３４を設けない場合でも、玄米Ｇ内に混入する籾Ｍは、精米部２６６で研削精米及び摩擦精米されて籾殻Ｄが剥離されることで白米Ｈになって精米搬送樋２９６内を搬送される一方、剥離された籾殻Ｄは糠Ｎになって機枠１２外へ排出される。
【０１４９】
［第３の実施の形態］
図５には、本発明の第３の実施の形態に係る穀物調製装置４００が展開された状態の模式図で示されており、図６には、穀物調製装置４００が斜視図にて示されている。
【０１５０】
本実施の形態に係る穀物調製装置４００は、第１の実施の形態と同様の機枠１２、所定数のキャスタ及びカバー１４を備えると共に、第１の実施の形態と同様の穀物乾燥機及び籾搬送樋２２が併設されている。
【０１５１】
機枠１２背面側の左部下側には、第１の実施の形態と同様の籾摺部１８が設けられている。機枠１２背面側の左部上側には、籾摺部１８の上方において、第１の実施の形態と同様の風力選別部３４が設けられている。
【０１５２】
機枠１２背面側の左右中央部上側には、風力選別部３４の側方において、玄米搬送経路を構成する選別部としての横型回転式の粒径選別部４０２が設けられている。粒径選別部４０２には、上面が開口する粒選ホッパ４０４が設けられており、風力選別部３４の風選搬送樋５４内を搬送された玄米Ｇが自然流下して粒選ホッパ４０４へ搬送される。また、粒選ホッパ４０４の上部には風選搬送樋５４の下端が挿入されており、このため、玄米Ｇの詰まりや玄米Ｇの過搬送等により粒選ホッパ４０４内に玄米Ｇが略満杯になった際でも、粒選ホッパ４０４への玄米Ｇの搬送が停止または抑制されて粒選ホッパ４０４から玄米Ｇが溢れることが防止される。なお、粒選ホッパ４０４に搬送される玄米Ｇには、籾Ｍ、屑米Ｋ（未熟粒）及びわら屑Ｗ等が少し含まれる。
【０１５３】
粒径選別部４０２は、箱状の粒選箱４０６が設けられており、粒選箱４０６内には円筒状の粒選筒４０８が傾斜された状態で設けられている。粒選筒４０８内の傾斜上部には粒選ホッパ４０４の下端が挿入されており、粒選ホッパ４０４内を搬送された玄米Ｇが粒選筒４０８内の傾斜上部に搬送される。ここで、粒選筒４０８が回転されることで、粒選筒４０８内の傾斜上部に搬送された玄米Ｇが遠心力を受けつつ粒選筒４０８内を下降する。
【０１５４】
粒選筒４０８の外周には多数の粒選孔４１０が形成されており、粒選孔４１０は、粒選筒４０８の傾斜上部で屑米Ｋは通過できるが玄米Ｇ、籾Ｍ及びわら屑Ｗは通過できない大きさとされ、粒選筒４０８の傾斜中部で玄米Ｇは通過できるが籾Ｍ及びわら屑Ｗは通過できない大きさとされ、粒選筒４０８の傾斜下部で籾Ｍは通過できるがわら屑Ｗは通過できない大きさとされている。このため、上述の如く遠心力を受けつつ粒選筒４０８内を玄米Ｇが下降すると、粒選筒４０８傾斜上部の粒選孔４１０を介して屑米Ｋが粒選筒４０８外へ移動し、粒選筒４０８傾斜中部の粒選孔４１０を介して玄米Ｇが粒選筒４０８外へ移動し、粒選筒４０８傾斜下部の粒選孔４１０を介して籾Ｍが粒選筒４０８外へ移動し、粒選筒４０８の何れの粒選孔４１０も通過しないわら屑Ｗが粒選筒４０８の傾斜下端から落下する。
【０１５５】
粒選筒４０８傾斜上部の下方における粒選箱４０６の底部は、漏斗状の屑米搬送樋４１２とされており、粒選筒４０８外へ移動した屑米Ｋが、粒選箱４０６内から屑米搬送樋４１２内を自然流下して搬送される。屑米搬送樋４１２の下端は、パイプ（図示省略）を介して機枠１２外へ連絡されており、屑米搬送樋４１２内を搬送された屑米Ｋがパイプを経て機枠１２外へ排出される。
【０１５６】
粒選筒４０８傾斜中部の下方における粒選箱４０６の底部は、漏斗状の粒選搬送樋４１４とされており、粒選筒４０８外へ移動した玄米Ｇが、粒選箱４０６内から粒選搬送樋４１４内を自然流下して搬送される。粒選搬送樋４１４の下端は、玄米搬送経路を構成する上面が開口した石抜ホッパ４１６に連通されており、石抜ホッパ４１６には屑米搬送樋４１２内を搬送された玄米Ｇが自然流下して搬送される。また、石抜ホッパ４１６の上部には粒選搬送樋４１４の下端が挿入されており、このため、玄米Ｇの詰まりや玄米Ｇの過搬送等により石抜ホッパ４１６内に玄米Ｇが略満杯になった際でも、石抜ホッパ４１６への玄米Ｇの搬送が停止または抑制されて石抜ホッパ４１６から玄米Ｇが溢れることが防止される。
【０１５７】
粒選筒４０８傾斜下部の下方における粒選箱４０６の底部は、漏斗状の籾移送樋４１８とされており、粒選筒４０８外へ移動した籾Ｍが、粒選箱４０６内から籾移送樋４１８内を自然流下して搬送される。籾移送樋４１８の下端は、籾摺部１８の籾摺ホッパ２０上部に挿入されており、籾移送樋４１８内を搬送された籾Ｍが籾摺ホッパ２０に搬送されて再度脱ぷ処理される。
【０１５８】
粒選筒４０８傾斜下端の下方における粒選箱４０６の底部は、漏斗状のわら屑搬送樋４２０とされており、粒選筒４０８の傾斜下端から落下したわら屑Ｗが、粒選箱４０６内からわら屑搬送樋４２０内を自然流下して搬送される。わら屑搬送樋４２０の下端は、パイプ（図示省略）を介して機枠１２外へ連絡されており、わら屑搬送樋４２０内を搬送されたわら屑Ｗがパイプを経て機枠１２外へ排出される。
【０１５９】
機枠１２背面側の左右中央部下側には、粒径選別部４０２の下方において、第２の実施の形態と同様の石抜選別部７６が設けられている。石抜選別部７６の石抜選別板８０上方には上記石抜ホッパ４１６の下端が配置されており、石抜ホッパ４１６内を搬送された玄米Ｇが石抜選別板８０上へ自然流下して搬送される。
【０１６０】
機枠１２の略中央部には、石抜選別部７６の側方において、第１の実施の形態と同様の揚穀機１３２（以下「第１揚穀機１３２」という）が設けられている。第１揚穀機１３２は玄米搬送経路を構成しており、第１揚穀機１３２の揚穀ホッパ１３４には、石抜選別部７６の石抜搬送樋９０内を搬送された玄米Ｇが搬送される。また、揚穀ホッパ１３４の上部には石抜搬送樋９０の下端が挿入されており、このため、玄米Ｇの詰まりや玄米Ｇの過搬送等により揚穀ホッパ１３４内に玄米Ｇが略満杯になった際でも、揚穀ホッパ１３４への玄米Ｇの搬送が停止または抑制されて揚穀ホッパ１３４から玄米Ｇが溢れることが防止される。
【０１６１】
第１揚穀機１３２の揚穀搬送樋１４４には、玄米搬送経路を構成する玄米タンク４２２が連通されており、玄米タンク４２２には揚穀搬送樋１４４内を自然流下して搬送される玄米Ｇが搬送される。また、玄米タンク４２２の上部には揚穀搬送樋１４４の下端が挿入されており、このため、玄米Ｇの詰まりや玄米Ｇの過搬送等により玄米タンク４２２内に玄米Ｇが略満杯になった際でも、玄米タンク４２２への玄米Ｇの搬送が停止または抑制されて玄米タンク４２２から玄米Ｇが溢れることが防止される。
【０１６２】
玄米タンク４２２の外周には、玄米採取手段を構成する採取樋４６６が設けられており、玄米タンク４２２の採取樋４６６設置部分には、玄米採取手段を構成する採取口（図示省略）が形成されている。採取口は、玄米採取手段を構成する閉塞蓋（図示省略）により閉塞されており、閉鎖蓋に接続された玄米採取手段を構成するモータまたはソレノイド等の駆動装置（図示省略）により閉鎖蓋が移動されて採取口が開放された際には、玄米タンク４２２内の玄米Ｇが採取口から採取樋４６６内へ搬送される。
【０１６３】
採取樋４６６は、機枠１２外まで到達しており、採取口から採取樋４６６内へ搬送された玄米Ｇは、採取樋４６６内を自然流下して、機枠１２外へ試料として採取（排出）される。
【０１６４】
玄米タンク４２２の下端には、切換部４２４が設けられており、切換部４２４には玄米タンク４２２内を搬送された玄米Ｇが自然流下して搬送される。切換部４２４には、玄米搬送経路を構成する羽根車状の繰出切換弁４２６が設けられると共に、繰出切換弁４２６の下方には、玄米搬送経路を構成する精米樋４２８と、色選樋４３０と、が連通されている。繰出切換弁４２６は、玄米タンク４２２から切換部４２４へ搬送された玄米Ｇを回転することで繰り出し、かつ、回転方向を変更することで玄米Ｇの自然流下による搬送先を精米樋４２８側と色選樋４３０側とに切り換える。
【０１６５】
機枠１２前面側の左右中央部には、切換部４２４の下方において、竪一軸研削摩擦式の精米部４３２が設けられている。精米部４３２では、筒状の精米ケース４３４が立設されており、精米ケース４３４内には、筒状の精米筒４３６が立設されている。精米ケース４３４の精米筒４３６直上における上面は精米樋４２８の下端に連結されており、精米樋４２８内を自然流下して搬送された玄米Ｇが精米筒４３６内へ搬送される。
【０１６６】
精米筒４３６の上部は円筒状とされており、精米筒４３６の上部以外の部位は略６〜８角形筒状とされている。
【０１６７】
精米筒４３６内には略円柱状の精米ロール４３８が立設されており、精米ロール４３８の上部には砥粒（図示省略）が設けられている。これにより、精米ロール４３８が回転されることで、精米筒４３６内へ搬送された玄米Ｇが、精米筒４３６上部と精米ロール４３８上部との間で砥粒によって研削されて研削精米される。
【０１６８】
精米ロール４３８の上部以外の部位における外周面には、所定数（本実施の形態では２つ）の平行突条４４０が軸方向に沿って設けられている。これにより、精米ロール４３８が回転されることで、研削精米が終了した後の玄米Ｇが、精米筒４３６の上部以外の部位と精米ロール４３８の上部以外の部位との間で平行突条４４０の回転によって攪拌され、玄米Ｇ相互間で摩擦力が作用して摩擦精米される。
【０１６９】
精米筒４３６の外周全体には多数の除糠孔４４２が形成されており、精米筒４３６と精米ケース４３４との間は除糠室４４４とされている。このため、玄米Ｇを研削精米及び摩擦精米して生じる糠Ｎが多数の除糠孔４４２を介して除糠室４４４へ排出される。また、除糠室４４４の下部は、パイプ（図示省略）を介して機枠１２外へ連絡されており、除糠室４４４へ排出された糠Ｎがパイプを経て機枠１２外へ排出される。
【０１７０】
精米筒４３６内の下部は、傾斜した精米搬送樋４４６に連通しており、精米筒４３６内の下部まで流下して研削精米及び摩擦精米された玄米Ｇが白米Ｈになって、精米搬送樋４４６内を自然流下して搬送される。精米搬送樋４４６の下端は、上面が開口した砕選ホッパ４４８に連通されており、砕選ホッパ４４８には精米搬送樋４４６内を搬送された白米Ｈが自然流下して搬送される。また、砕選ホッパ４４８の上部には精米搬送樋４４６の下端が挿入されており、このため、白米Ｈの詰まりや白米Ｈの過搬送等により砕選ホッパ４４８内に白米Ｈが略満杯になった際でも、砕選ホッパ４４８への白米Ｈの搬送が停止または抑制されて砕選ホッパ４４８から白米Ｈが溢れることが防止される。
【０１７１】
また、玄米タンク４２２へ搬送される玄米Ｇ内に籾Ｍが混入する場合でも、この籾Ｍは研削精米及び摩擦精米されて籾殻Ｄが剥離されることで白米Ｈになって精米搬送樋４４６内を搬送される一方、剥離された籾殻Ｄは糠Ｎになって機枠１２外へ排出される。
【０１７２】
機枠１２前面側の左右中央部下側には、精米部４３２の側方において、第１の実施の形態と同様の砕米選別部１４６が設けられている。砕米選別部１４６の砕米選別網１５０傾斜上側の上方には上記砕選ホッパ４４８の下端が配置されており、砕選ホッパ４４８内を搬送された白米Ｈが砕米選別網１５０上へ自然流下して搬送される。
【０１７３】
機枠１２の略中央部には、砕米選別部１４６の側方において、第１の実施の形態と同様の揚穀機１３２（以下「第２揚穀機１３２」という）が設けられている。第２揚穀機１３２の揚穀ホッパ１３４には、砕米選別部１４６の砕選搬送樋１６０内を搬送された白米Ｈが搬送される。また、揚穀ホッパ１３４の上部には砕選搬送樋１６０の下端が挿入されており、このため、白米Ｈの詰まりや白米Ｈの過搬送等により揚穀ホッパ１３４内に白米Ｈが略満杯になった際でも、揚穀ホッパ１３４への白米Ｈの搬送が停止または抑制されて揚穀ホッパ１３４から白米Ｈが溢れることが防止される。
【０１７４】
機枠１２の右部には、第２揚穀機１３２の側方において、選別部としての流下樋式の色彩選別部４５０が設けられている。色彩選別部４５０は、上面が開口する色選タンク４５２を備えており、色選タンク４５２には第２揚穀機１３２の揚穀搬送樋１４４内を搬送された白米Ｈが搬送される。また、色選タンク４５２の上部には揚穀搬送樋１４４の下端が挿入されており、このため、白米Ｈの詰まりや白米Ｈの過搬送等により色選タンク４５２内に白米Ｈが略満杯になった際でも、色選タンク４５２への白米Ｈの搬送が停止または抑制されて色選タンク４５２から白米Ｈが溢れることが防止される。
【０１７５】
色選タンク４５２の下端は、箱状の色選ケース４５４の上面に連通されており、色選ケース４５４内には、流下樋４５６が傾斜されて設けられている。流下樋４５６傾斜上端の直上には色選タンク４５２の下端が配置されると共に、色選タンク４５２の下部には羽根車状の色選繰出弁４５８が設けられており、色選タンク４５２へ搬送された白米Ｈが、色選繰出弁４５８の回転によって繰り出されて、流下樋４５６の傾斜上部上へ搬送され、流下樋４５６上を流下した後に自由落下する。
【０１７６】
流下樋４５６の下方には、一対のカメラ４６０（例えばＣＣＤカメラ等のラインセンサカメラ）が米Ｈの自由落下軌道を挟んで設置されており、一対のカメラ４６０によって白米Ｈが表裏二面から撮影される。これにより、撮影された白米Ｈが良米Ｒ（精米）であるか着色米Ｆ（精米不良米）であるかが判定される。
【０１７７】
一対のカメラ４６０の下方には、白米Ｈの自由落下軌道の側方においてエアエジェクタ４６２が設置されており、エアエジェクタ４６２は、一対のカメラ４６０によって撮影された白米Ｈが着色米Ｆと判定された際には、噴風して着色米Ｆを吹き飛ばす一方、一対のカメラ４６０によって撮影された白米Ｈが良米Ｒと判定された際には噴風せずに良米Ｒを吹き飛ばさない構成とされている。
【０１７８】
色選ケース４５４の下部には良米口４６４が設けられており、エアエジェクタ４６２に吹き飛ばされずにそのままの軌道で自由落下した良米Ｒが良米口４６４から排出される。また、色選ケース４５４内の下部はパイプ（図示省略）を介して機枠１２外へ連絡されており、エアエジェクタ４６２に吹き飛ばされて自由落下しなかった着色米Ｆがパイプを経て機枠１２外へ排出される。
【０１７９】
さらに、上記切換部４２４へ搬送された玄米Ｇの搬送先が繰出切換弁４２６によって色選樋４３０側へ切り換えられた際には、玄米Ｇが、色選樋４３０内を自然流下して第２揚穀機１３２の揚穀ホッパ１３４へ搬送される。また、揚穀ホッパ１３４の上部には色選樋４３０の下端が挿入されており、このため、玄米Ｇの詰まりや玄米Ｇの過搬送等により揚穀ホッパ１３４内に玄米Ｇが略満杯になった際でも、揚穀ホッパ１３４への玄米Ｇの搬送が停止または抑制されて揚穀ホッパ１３４から玄米Ｇが溢れることが防止される。
【０１８０】
第２揚穀機１３２により色選タンク４５２内へ搬送された玄米Ｇは、上記と同様に、良米Ｒ（玄米）であるか着色米Ｆ（玄米Ｇ内に僅かに混入する籾Ｍや籾摺不良玄米Ｇ）であるかを判定選別されて、良米Ｒが良米口４６４から排出される一方、着色米Ｆがパイプを経て機枠１２外へ排出される。
【０１８１】
機枠１２前面の左右中央部には、第１の実施の形態とほぼ同様の操作部１９４が設けられている。操作部１９４のタッチパネル１９６が操作されることで、上記籾摺部１８、風力選別部３４、粒径選別部４０２、石抜選別部７６、第１揚穀機１３２、切換部４２４、精米部４３２、砕米選別部１４６、第２揚穀機１３２及び色彩選別部４５０が制御される（始動停止制御や運転制御等の他、繰出切換弁４２６による玄米Ｇの搬送先の選択制御を含む）。
【０１８２】
操作部１９４は、玄米タンク４２２の採取口を開放する制御（採取樋４６６内へ玄米Ｇを搬送する制御）を、タッチパネル１９６の操作によって、または、予め作成されたプログラムにより自動的（場合によっては定期的）に、行う構成とされている。
【０１８３】
次に、本実施の形態の作用を説明する。
【０１８４】
以上の構成の穀物調製装置４００では、先ず、操作部１９４のタッチパネル１９６を操作することで、籾摺部１８、風力選別部３４、粒径選別部４０２、石抜選別部７６、第１揚穀機１３２、切換部４２４、精米部４３２、砕米選別部１４６、第２揚穀機１３２及び色彩選別部４５０を始動させると共に、繰出切換弁４２６による玄米Ｇの搬送先を選択する。
【０１８５】
穀物乾燥機によって乾燥された籾Ｍが、籾搬送樋２２を介して第１の実施の形態と同様の籾摺部１８の籾摺ホッパ２０へ搬送されると、脱ぷ処理される。
【０１８６】
籾Ｍが脱ぷ処理された後の摺出米Ｓは、第１の実施の形態と同様の風力選別部３４へ搬送されて、摺出米Ｓ内の粉塵Ｃ、籾殻Ｄ及び粃Ｔが機枠１２外へ排出されると共に、摺出米Ｓ内の玄米Ｇが風選搬送樋５４内を自然流下して搬送される。
【０１８７】
風選搬送樋５４内を搬送された玄米Ｇは、粒径選別部４０２の粒選ホッパ４０４を経て粒選筒４０８内の傾斜上部に搬送され、粒選筒４０８が回転されることで、遠心力を受けつつ粒選筒４０８内を下降する。これにより、粒選筒４０８傾斜上部の粒選孔４１０を介して屑米Ｋが粒選筒４０８外へ移動し、粒選筒４０８傾斜中部の粒選孔４１０を介して玄米Ｇが粒選筒４０８外へ移動し、粒選筒４０８傾斜下部の粒選孔４１０を介して籾Ｍが粒選筒４０８外へ移動し、わら屑Ｗが粒選筒４０８の傾斜下端から落下する。
【０１８８】
粒選筒４０８外へ移動した屑米Ｋは、粒選箱４０６内、屑米搬送樋４１２内及びパイプを経て機枠１２外へ排出される。粒選筒４０８外へ移動した籾Ｍは、粒選箱４０６内及び籾移送樋４１８内を経て籾摺部１８の籾摺ホッパ２０に搬送されて再度脱ぷ処理される。粒選筒４０８の傾斜下端から落下したわら屑Ｗは、粒選箱４０６内、わら屑搬送樋４２０内及びパイプを経て機枠１２外へ排出される。粒選筒４０８外へ移動した玄米Ｇは、粒選箱４０６内及び粒選搬送樋４１４内を経て石抜ホッパ４１６に搬送される。
【０１８９】
屑米Ｋ、わら屑Ｗ、籾Ｍが除去されて石抜ホッパ４１６に搬送された玄米Ｇは、第１の実施の形態とほぼ同様の石抜選別部７６へ搬送されて、小石Ｉが小石搬送樋２５４及びパイプを経て機枠１２外へ排出される一方、小石Ｉが除去された玄米Ｇが石抜搬送樋９０内を搬送される。
【０１９０】
石抜搬送樋９０内を搬送された玄米Ｇは、第１の実施の形態の揚穀機１３２と同様の第１揚穀機１３２へ搬送され、揚穀筒１３６内を上昇されて揚穀搬送樋１４４を経て玄米タンク４２２へ搬送される。
【０１９１】
玄米タンク４２２へ搬送された玄米Ｇの搬送先は、切換部４２４の繰出切換弁４２６によって精米樋４２８側と色選樋４３０側とに切り換えられる。
【０１９２】
玄米タンク４２２へ搬送された玄米Ｇが繰出切換弁４２６によって精米樋４２８側へ搬送される際には、精米樋４２８内を搬送された玄米Ｇが、精米部４３２の精米筒４３６内へ搬送され、精米ロール４３８が回転されることで、精米筒４３６上部と精米ロール４３８上部との間で砥粒によって研削されて研削精米されると共に、精米筒４３６の上部以外の部位と精米ロール４３８の上部以外の部位との間で平行突条４４０の回転によって攪拌されて摩擦精米される。
【０１９３】
玄米Ｇを研削精米及び摩擦精米して生じる糠Ｎは、多数の除糠孔４４２、除糠室４４４パイプを経て機枠１２外へ排出される。一方、玄米Ｇが研削精米及び摩擦精米された白米Ｈは、精米搬送樋４４６内及び砕選ホッパ４４８内を自然流下して搬送される。
【０１９４】
砕選ホッパ４４８内を搬送された白米Ｈは、第１の実施の形態と同様の砕米選別部１４６に搬送され、砕米Ｊはパイプを経て機枠１２外へ排出される一方、砕米Ｊが除去された白米Ｈは砕選搬送樋１６０内を自然流下して搬送される。
【０１９５】
砕選搬送樋１６０内を搬送された白米Ｈは、第１の実施の形態の揚穀機１３２と同様の第２揚穀機１３２へ搬送され、揚穀筒１３６内を上昇されて揚穀搬送樋１４４を経て色彩選別部４５０の色選タンク４５２へ搬送される。
【０１９６】
色選タンク４５２へ搬送された白米Ｈは、流下樋４５６の傾斜上部上へ搬送され、流下樋４５６上を流下した後に自由落下し、一対のカメラ４６０によって表裏二面から撮影されて良米Ｒであるか着色米Ｆであるかが判定される。白米Ｈが着色米Ｆと判定された際には、エアエジェクタ４６２が噴風して着色米Ｆを吹き飛ばすことで着色米Ｆをパイプを経て機枠１２外へ排出する一方、白米Ｈが良米Ｒと判定された際にはエアエジェクタ４６２が噴風せずに良米Ｒを吹き飛ばさないことで良米Ｒを良米口４６４から排出する。
【０１９７】
さらに、上記切換部４２４へ搬送された玄米Ｇの搬送先が繰出切換弁４２６によって色選樋４３０側へ切り換えられた際には、第２揚穀機１３２を経て色選タンク４５２内へ搬送された玄米Ｇは、上記と同様に、良米Ｒ玄米であるか着色米Ｆであるかを判定選別されて、良米Ｒが良米口４６４から排出される一方、着色米Ｆがパイプを経て機枠１２外へ排出される。
【０１９８】
このように、穀物調製装置４００では、籾摺部１８で籾Ｍを摺って摺出米Ｓ（玄米Ｇを含む）にし、籾摺部１８の後工程の風力選別部３４で摺出米Ｓから籾殻Ｄ、粉塵Ｃ及び粃Ｔを除去することで玄米Ｇを取り出して玄米Ｇを精選し、風力選別部３４の後工程の粒径選別部４０２で玄米Ｇから屑米Ｋ、籾Ｍ及びわら屑Ｗを除去して玄米Ｇを精選し、粒径選別部４０２の後工程の石抜選別部７６で玄米Ｇから小石Ｉを除去して玄米Ｇを精選し、石抜選別部７６の後工程の精米部４３２で玄米Ｇを精米して白米Ｈにし、精米部４３２の後工程の砕米選別部１４６で白米Ｈから砕米Ｊを除去して白米Ｈを精選し、砕米選別部１４６または石抜選別部７６の後工程の色彩選別部４５０で白米Ｈまたは玄米Ｇから着色米Ｆを除去することで、精選された白米Ｈまたは玄米Ｇを生産する。
【０１９９】
また、穀物調製装置４００では、籾摺部１８、風力選別部３４、粒径選別部４０２、石抜選別部７６（石抜ホッパ４１６を含む）、第１揚穀機１３２、切換部４２４（玄米タンク４２２を含む）、精米部４３２、砕米選別部１４６、第２揚穀機１３２、色彩選別部４５０及び操作部１９４が１つの機枠１２に設置されると共に、機枠１２がカバー１４で覆われて一体化されている。
【０２００】
ここで、玄米タンク４２２の採取口が開放されて玄米タンク４２２内の玄米Ｇが採取口から採取樋４６６内へ搬送される際には、所定量の玄米Ｇが採取樋４６６内を自然流下して機枠１２外へ試料として採取される。このため、採取樋４６６から機枠１２外へ採取された玄米Ｇによって、玄米Ｇの外観検査（整粒、屑粒、被害粒等の混入割合についての検査）を行うことができ、米の等級判定（ランク付け）を行うことができる。
【０２０１】
さらに、精米部２６６とその直前工程の石抜選別部７６との間の玄米タンク４２２から玄米Ｇが機枠１２外へ採取されるため、採取された玄米Ｇは風力選別部３４、粒径選別部４０２及び石抜選別部７６により精選されたものである。これにより、玄米Ｇの外観検査を良好に行うことができて、米の等級判定を良好に行うことができる。
【０２０２】
なお、上記第１の実施の形態乃至第３の実施の形態において、色彩選別部１６２、４５０の次工程に、例えばオプションとして、良米Ｒ（白米Ｈ）を揚穀する揚穀機や、良米Ｒを計量して所定量ずつの良米Ｒを袋に詰める計量袋詰機を付設した構成としてもよい。
【０２０３】
【発明の効果】
請求項１に記載の穀物調製装置では、籾摺部から精米部への玄米搬送経路から玄米を機枠外へ採取可能な玄米採取手段が設けられているため、玄米採取手段により機枠外へ採取された玄米によって、玄米の外観検査を行うことができる。
【０２０４】
請求項２に記載の穀物調製装置では、精米部の直前工程の選別部から精米部までの玄米搬送経路から玄米採取手段が玄米を機枠外へ採取するため、玄米の外観検査を良好に行うことができる。
【図面の簡単な説明】
【図１】本発明の第１の実施の形態に係る穀物調製装置の展開した状態を示す模式図である。
【図２】本発明の第１の実施の形態に係る穀物調製装置を示す斜視図である。
【図３】本発明の第２の実施の形態に係る穀物調製装置の展開した状態を示す模式図である。
【図４】本発明の第２の実施の形態に係る穀物調製装置を示す斜視図である。
【図５】本発明の第３の実施の形態に係る穀物調製装置の展開した状態を示す模式図である。
【図６】本発明の第３の実施の形態に係る穀物調製装置を示す斜視図である。
【符号の説明】
１０        穀物調製装置
１２        機枠
１４        カバー
１８        籾摺部
３２        案内筒（玄米搬送経路）
３４        風力選別部（玄米搬送経路、選別部）
５６        粒径選別部（玄米搬送経路、選別部）
７６        石抜選別部（玄米搬送経路、選別部）
９４        切換ホッパ（玄米搬送経路）
９６        切換弁（玄米搬送経路、玄米採取手段）
９８        玄米樋（玄米搬送経路）
１０２        精米部
１０４        玄米タンク（玄米搬送経路）
１３２        揚穀機（第２及び第３の実施の形態では玄米搬送経路）
１４６        砕米選別部（選別部）
１６２        色彩選別部（選別部）
１９４        操作部（玄米採取手段）
１９８        採取樋（玄米採取手段）
２００        穀物調製装置
２２０        粒径選別部（玄米搬送経路、選別部）
２３４        籾選別部（玄米搬送経路、選別部）
２６６        精米部
２９８        砕米選別部（選別部）
３１６        採取樋（玄米採取手段）
４００        穀物調製装置
４０２        粒径選別部（玄米搬送経路、選別部）
４１６        石抜ホッパ（玄米搬送経路）
４２２        玄米タンク（玄米搬送経路）
４２６        繰出切換弁（玄米搬送経路）
４２８        精米樋（玄米搬送経路）
４３２        精米部
４５０        色彩選別部（選別部）
４６６        採取樋（玄米採取手段）
Ｍ        籾
Ｇ        玄米
Ｈ        白米
【図１】
2004148230.tif 000003
【図２】
2004148230.tif 000004
【図３】
2004148230.tif 000005
【図４】
2004148230.tif 000006
【図５】
2004148230.tif 000007
【図６】
2004148230.tif 000008